(57)【要約】【課題】模様を、熱ラミネート前は読み取ることができ、かつ、熱ラミネート後は読み取ることができないようにすることができるパウチフィルムを提供する。【解決手段】基材と熱融着層の二層構造を有する表面フィルム１及び裏面フィルム２を有し、前記表面フィルムの基材１２が透明で前記表面フィルムの熱融着層１１が半透明であって、前記表面フィルム１と前記裏面フィルム２とを互いの熱融着層側を内側にして上下に重ね、一端を熱融着で結合して一体とし、前記表面フィルム１と前記裏面フィルム２との間に被覆物を挟むために他端を開閉自在とし、前記表面フィルム１に透かし３を設ける。【選択図】図１
2014050990.tif 000002
【特許請求の範囲】
【請求項１】
基材と熱融着層の二層構造を有する表面フィルム及び裏面フィルムを有し、前記表面フィルムの基材が透明で前記表面フィルムの熱融着層が半透明であって、前記表面フィルムと前記裏面フィルムとを互いの熱融着層側を内側にして上下に重ね、一端を熱融着で結合して一体とし、前記表面フィルムと前記裏面フィルムとの間に被覆物を挟むために他端を開閉自在とし、前記表面フィルムに透かしを設けてあることを特徴とするパウチフィルム。
【請求項２】
前記透かしが、前記表面フィルムの熱融着層の一部を、加熱して透明化して形成してあることを特徴とする請求項１に記載のパウチフィルム。
【請求項３】
前記透かしが、前記表面フィルムの熱融着層の一部の表面を平滑とし、他部分の表面を凸凹とすることにより形成してあることを特徴とする請求項１に記載のパウチフィルム。
【請求項４】
前記透かしが、前記表面フィルムと前記裏面フィルムとの間に被覆物を挟んで熱ラミネートをすると同時に消失するものであることを特徴とする請求項１から請求項３のいずれかに記載のパウチフィルム。
【発明の詳細な説明】
【技術分野】
【０００１】
本発明は、パウチフィルムに関し、特に、メニューシートなどを２枚のフィルムの間に挟んで熱ラミネートして用いることができるパウチフィルムに関する。
【背景技術】
【０００２】
従来、メニューシートなど使用頻度が高い紙片や薄いカード類を水濡れ・汚れ・破れ・偽造等から保護するため、あるいはクリーンルームにおいてマニュアル等の紙片からの埃発生を防止するためなど、様々な場面でパウチフィルムが用いられてきた（例えば、特許文献１参照）。
【先行技術文献】
【特許文献】
【０００３】
【特許文献１】実登２５４３１８０号公報
【発明の概要】
【発明が解決しようとする課題】
【０００４】
しかし、従来のパウチフィルムでは、全体が半透明であるので、間にメニュー等を挟もうとするときに、開け口が分かりにくいという問題がある。また、全体が半透明であるので、商品名や製造元などが表示されていないので、出所や商品名等識別しにくいという問題がある。これらは、特許文献１に示したように、表面に使い方のイラストや商品名等の文字で着色印刷やエンボス加工・凹凸型を施せば解決できるが、そうすると、今度は、メニュー等の内容物を挟んで熱ラミネートした後も、イラストや地紋や文字（以下、まとめて「模様」という。）が内容物の表面に出てしまい、見栄えが悪く、またメニュー等の内容物の表面又は裏面の一部が隠れてしまうという視覚的問題が生じてしまう。特に熱ラミネートして使用するメニューなどは両面利用したい場合も多く、また、パウチフィルムの製造元の文字が残っているとメニューを提供している会社名と誤解されるおそれもあるという問題がある。また、フィルム表面への印刷で印刷縁部分が窪み、フィルム表面が凸凹になってしまうという問題がある。そのうえにさらにフィルムを設けて多層構造にするとコスト高となるという問題がある。
【０００５】
そこで、本発明は、模様を、熱ラミネート前は読み取ることができ、かつ、熱ラミネート後は読み取ることができないようにすることができるパウチフィルムを提供することを目的とする。
【課題を解決するための手段】
【０００６】
本発明の第１の態様は、基材と熱融着層の二層構造を有する表面フィルム及び裏面フィルムを有し、前記表面フィルムの基材が透明で前記表面フィルムの熱融着層が半透明であって、前記表面フィルムと前記裏面フィルムとを互いの熱融着層側を内側にして上下に重ね、一端を熱融着で結合して一体とし、前記表面フィルムと前記裏面フィルムとの間に被覆物を挟むために他端を開閉自在とし、前記表面フィルムに透かしを設けてあることを特徴とするパウチフィルムを提供する。本願において、透明には、無色透明の他、着色透明を含む。
【０００７】
前記透かしが、前記表面フィルムの熱融着層の一部を、加熱して透明化して形成してあることが好ましい。あるいは、前記透かしが、前記表面フィルムの熱融着層の一部の表面を平滑とし、他部分の表面を凸凹とすることにより形成してあることが好ましい。
【０００８】
また、前記透かしが、前記表面フィルムと前記裏面フィルムとの間に被覆物を挟んで熱ラミネートをすると同時に消失するものであることが好ましい。
【発明の効果】
【０００９】
本発明のパウチフィルムは上述したように構成されており、本発明のパウチフィルムによれば、模様を、熱ラミネート前は読み取ることができ、かつ、熱ラミネート後は読み取ることができないようにすることができる。
【図面の簡単な説明】
【００１０】
【図１】本発明の実施例１のパウチフィルムの全体構成を示す図である。
【図２】本発明の実施例１のパウチフィルムの使用方法を示す図である。
【図３】本発明の実施例１のパウチフィルムを使用したパウチ済み製品を示す図である。
【図４】比較例１のパウチフィルムの全体構成を示す図である。
【図５】比較例１のパウチフィルムの使用方法を示す図である。
【図６】比較例１のパウチフィルムを使用したパウチ済み製品を示す図である。
【図７】比較例２のパウチフィルムの使用方法を示す図である。
【発明を実施するための形態】
【００１１】
以下、本発明のパウチフィルムの一実施形態について、図面を参照し実施例を用いて具体的に説明するが、本発明はこれらに限定されるものではない。
【００１２】
（実施例１）
図１は、本発明の実施例１のパウチフィルムの全体構成を示す図である。（ａ）は実施例１のパウチフィルムの正面図、（ｂ）は実施例１のパウチフィルムのＡ−Ａ´線断面図である。本発明の実施例１のパウチフィルム６は、表面フィルム１及び裏面フィルム２を有する。
【００１３】
本発明の実施例１のパウチフィルム６は、表面フィルム１に透かし３を設けてある。本実施例では、「ＳＯＬＡＲ」という文字の透かしであるが、文字に限らず、イラストや図形等であってもよい。あるいは文字やイラストや図形等の模様部分が透かしでない部分とし、模様部分以外を透かしとするものであってもよい。
【００１４】
表面フィルム１は、表面フィルム基材１２の一方の面側全体に表面フィルム熱融着層１１を積層してなる。裏面フィルム２は、裏面フィルム基材２２の一方の面側全体に裏面フィルム熱融着層２１を積層してなる。表面フィルム基材１２は透明で、表面フィルム熱融着層１１は、透かし３を除き半透明である。透かし３は透明である。裏面フィルム基材２２及び裏面フィルム熱融着層２１は透明又は半透明又は不透明である。表面フィルム基材１２及び裏面フィルム基材２２は、本実施例ではＰＥＴフィルムであるが、ポリエチレンフィルム、ポリプロピレンフィルム等、パウチフィルムに使用する他の一般的フィルムでもよい。本実施例では、表面フィルム１及び裏面フィルム２は１００μｍ厚で、表面フィルム基材１２及び裏面フィルム基材２２は５０μｍ厚であるが、厚さはこれに限らない。表面フィルム１及び裏面フィルム２は、基材と熱溶着層との間に、接着力を高めるためアンカーコート（接着層）を設けてもよい。
【００１５】
本発明の実施例１のパウチフィルム６は、表面フィルム１と裏面フィルム２とを互いの熱融着層側を内側にして上下に重ね、一端を熱融着で結合して一体としてある。この結合部分を結合部５として、表面フィルム１と裏面フィルム２との間に被覆物４を挟むために他端を開閉自在としてある。
【００１６】
表面フィルム基材１２及び裏面フィルム基材２２は、本実施例ではクリアタイプであるが、艶消しタイプ等他のタイプでもよい。表面フィルム熱融着層１１及び裏面フィルム熱融着層２１は、加熱前は半透明である。表面フィルム熱融着層１１及び裏面フィルム熱融着層２１は、本実施例では、ポリエレンを主体とする接着剤であるが、パウチフィルムに使用する他のヒートシール樹脂接着剤でもよい。
【００１７】
本実施例で用いる表面フィルム基材１２は、たとえ厚さが１ｍｍのシート状にしても裏面においた文字が読み取れるほどの透明性があるものであり、これに半透明の表面フィルム熱溶着層１２を設けて全体として半透明となる表面フィルム１は、基材のみよりも透明性が低いが、すりガラスのようにシート裏面においた被覆物の形状は視認できる。
【００１８】
表面フィルム基材１２に表面フィルム熱融着層１１を押出ラミネートして表面フィルム１を製造する。表面フィルム熱融着層１１の押出ラミネートは、例えば、溶融押し出し成型によってすることができる。溶融押し出し成型による場合、例えば、溶融押し出し部の温度が２００〜３５０度、スピードが２０〜２００ｍ／分で成型するが、使用材料や機械等により最適な温度やスピードは異なる。表面フィルム基材１２に接着剤を塗って、表面フィルム熱融着層１１を貼り付けることにより、フィルム１を製造してもよい。
【００１９】
本発明の実施例１のパウチフィルム６の透かし３は、パウチフィルム６の製造過程で、例えば、冷却ロールの刻印によって設けたり、マットフィルムを使用して設けたり、加熱工程で設けたりすることができる。
【００２０】
冷却ロールの刻印による場合、表面フィルム熱融着層１１を押出ラミネートする際、フィルムを巻き取るロールにエンボス面(マット面)とフラット面(鏡面)を彫刻しておき、表面フィルム熱融着層１１側がロール側になるようにして、半透明にしたい部分をエンボス面に、透かしにしたい部分をフラット面に接触するように巻きつける。従来はフィルムと被覆物との密着強度を上げるため及びシールの有無を簡単に確認できるようにするために冷却ロールの表面は全面マット状にしてあるが、本実施例のパウチフィルム６の製造では、透かし３となる部分の冷却ロール表面を鏡面とすることで、その部分のみ透明な透かしが入る。
【００２１】
マットフィルムを使用する場合、表面フィルム基材１２の表側を下にして、上に溶解した接着剤液を押し出して塗布し、そのうえにマットフィルム、本実施例ではマットなＰＥＴフィルム、を置いて接着剤液からなる表面フィルム熱溶着層１１をサンドする。エンボス面(マット面)とフラット面(鏡面)の彫刻が施されたマットフィルムを、表面フィルム熱融着層１１側の半透明にしたい部分をエンボス面に、透かしにしたい部分をフラット面に接触するように巻きつける。表面フィルム基材１２と表面フィルム熱溶着層１１の間にアンカーコート（接着層）をあらかじめ押出ラミネートしておき、マットフィルムと表面フィルム熱溶着層１１の間にはアンカーコートを設けない。サンドして透かしを作った後に、マットフィルムを剥離する。マットフィルムは表面フィルム熱溶着層１１から容易に剥離することができる。なお、表面フィルム基材１２と表面フィルム熱溶着層１１の間にアンカーコートを塗布しなくてもよい。
【００２２】
加熱工程による場合、表面フィルム熱融着層１１を表面フィルム基材１２に押出ラミネートした後に透かしの形の金型を表面フィルム熱融着層１１側に接触させて金型部分のみ加熱する。
【００２３】
すなわち、透かし３は、表面フィルム熱融着層１１の一部の表面を平滑とし、他部分の表面を凸凹とすることにより形成してあるものでもよく、表面フィルム熱融着層１１の一部を、加熱して透明化して形成してあるものであってもよい。
【００２４】
図２は、本発明の実施例１のパウチフィルムの使用方法を示す図である。まずは、図２の左側に示したように、本実施例のパウチフィルム６の表面フィルム１と裏面フィルム２との間に被覆物４を挟む。被覆物４はメニューやマニュアル等の紙片やカード類といった薄いシート状のものが適する。被覆物４はパウチフィルム６からはみ出さないようにしっかり挟んで熱融着すなわち加熱シール(熱ラミネート)を行う。熱ラミネートは、例えば、１５０度で約２秒、圧力２０psiといった条件で行うことができるが、温度、加工時間、圧力の組み合わせはこれに限らず、被覆物４がパウチフィルム６内に密閉され保持されるように熱ラミネートする。熱ラミネートにより、表面フィルム熱融着層１１全体が加熱されて溶けるので、透かし部分だけでなく全体が均一な透明性を示すことになる。図２の右側はパウチフィルム６の間に被覆物４を挟んで熱ラミネートして一体となったパウチ済み製品７を示す。熱ラミネートにより透かし３は消失している。なお、「透かし」とは、本願では、当てた光によって文字や模様の部分だけ明るく又は暗く現れることにより周囲と区別でき文字又は模様が判別できる部分のほか、透明性がある物において、文字や模様の部分だけ比較的曇りが少なく（透明性が高く）て周囲の部分が曇って（透明性が低く）、又は、文字や模様の部分だけ曇って（透明性が低く）て周囲の部分が比較的曇りが少なく(透明性が高く)て、文字や模様を視認できる部分も含む。
【００２５】
図３は、本発明の実施例１のパウチフィルムを使用したパウチ済み製品を示す図である。（ａ）は実施例１のパウチフィルムを使用したパウチ済み製品７の正面図、（ｂ）は実施例１のパウチフィルムを使用したパウチ済み製品７のＡ−Ａ´線断面図である。図３に示したパウチ済み製品７では、加熱前に表面から見えていた透かしが加熱により消えて、表面フィルム熱融着層１１と裏面フィルム熱融着層２１が溶けて被覆物４を挟んで一体化している。加熱により透かしと透かしでない部分との境界がなくなり均一になる。すなわち、本実施例では、透かし３が、表面フィルム１と裏面フィルム２との間に被覆物４を挟んで熱融着をすると同時に消失する。
【００２６】
したがって、被覆物４の表面は、イラストをはじめ全面隅々までクリアーに視認できる。
【００２７】
本実施例によれば、模様を、熱ラミネート前は読み取ることができ、かつ、熱ラミネート後は読み取ることができないようにすることができる。よって、例えば、パウチフィルムの使用方法や被覆物の入れる方向など、使用前は必要な情報であるが、使用後は表面に表れてほしくない情報を、透かしで入れることができる。また、パウチフィルムの商品名や特徴などはパウチフィルムの使用者には必要な情報であるが、パウチ後のパウチ済み製品を使用する者には必要ない情報であるため、従来はパウチフィルムそのものには入れられず、パウチフィルムだけでは他社の製品と識別が難しかったが、本実施例によれば、透かしで商品名等を入れることによって、他社との識別などを容易にしつつ、かつ、パウチ済み製品においては表示されないで済む。したがって、差別化が図れ、製品価値が高まると同時に、使用後に被覆物の表示内容を隠す悪影響を与えないため利便性が高い。またフィルムを多層構造にする必要がなく大きなコストがかからなくて済む。
【００２８】
（比較例１）
図４は、比較例１のパウチフィルムの全体構成を示す図である。（ａ）は比較例１のパウチフィルムの正面図、（ｂ）は比較例１のパウチフィルムのＡ−Ａ´線断面図である。比較例１のパウチフィルム６０は、表面フィルム１０及び裏面フィルム２０を有するが透かしはない。表面フィルム１０は、表面フィルム基材１２０の一方の面側全体に表面フィルム熱融着層１１０を積層してなる。裏面フィルム２０は、裏面フィルム基材２２０の一方の面側全体に裏面フィルム熱融着層２１０を積層してなる。表面フィルム１０と裏面フィルム２０とを互いの熱融着層側を内側にして上下に重ね、一端を熱融着で結合した結合部５０を有する。
【００２９】
図５は、比較例１のパウチフィルムの使用方法を示す図である。図５の左側は熱ラミネート前でパウチフィルム６０に被覆物４０を入れる段階、右側は熱ラミネート後でパウチフィルム６０と被覆物４０が一体となったパウチ済み製品７０を示す。比較例１のパウチフィルム６０では、全体が透明で、被覆物４０を入れるところがわかりにくいし、使い方や商品名や特徴などの情報もフィルムからはわからない。
【００３０】
図６は、比較例１のパウチフィルムを使用したパウチ済み製品を示す図である。（ａ）は比較例１のパウチフィルムを使用したパウチ済み製品７０の正面図、（ｂ）は比較例１のパウチフィルムを使用したパウチ済み製品７０のＡ−Ａ´線断面図である。熱ラミネート後は、図３に示したパウチ済み製品７と同様な構成となる。
【００３１】
（比較例２）
図７は、比較例２のパウチフィルムの使用方法を示す図である。比較例２のパウチフィルム６０は、比較例１とほぼ同じ構成で、表面に文字が印刷してある点のみ異なる。図７に示した比較例２では、「Ｓ」の文字を箔押し印刷してある。比較例２では、熱ラミネート後も、「Ｓ」の文字が表面に残ってしまうため、文字の下敷きになる被覆物の文字やイラストが読みにくくなったり、箔押し印刷の文字も被覆物の印刷の一部と勘違いされる恐れが生じる。
【００３２】
なお、本発明は、上記実施の形態に限定されず、その発明の趣旨を逸脱しない範囲で種々と変形実施が可能である。
【符号の説明】
【００３３】
１，１０      表面フィルム
１１，１１０  表面フィルム熱融着層
１２，１２０  表面フィルム基材
２，２０      裏面フィルム
２１，２１０  裏面フィルム熱融着層
２２，２２０  裏面フィルム基材
３            透かし
４，４０      被覆物
５，５０      結合部
６，６０      パウチフィルム
７，７０      パウチ済み製品
【図１】
2014050990.tif 000003
【図２】
2014050990.tif 000004
【図３】
2014050990.tif 000005
【図４】
2014050990.tif 000006
【図５】
2014050990.tif 000007
【図６】
2014050990.tif 000008
【図７】
2014050990.tif 000009
【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
基材と熱融着層の二重構造を有する表面フィルム及び裏面フィルムを有し、前記表面フィルムの基材が透明で前記表面フィルムの熱融着層が半透明であって、前記表面フィルムと前記裏面フィルムとを互いの熱融着層側を内側にして上下に重ね、一端を熱融着で結合して一体とし、前記表面フィルムと前記裏面フィルムとの間に被覆物を挟むために他端を開閉自在とし、前記表面フィルムに透かしを設けてあるものであって、前記透かしが、前記表面フィルムの熱融着層を前記表面フィルムの基材に押出ラミネートした後に透かしの形の金型を接触させて金型部分のみ加熱することによって、前記表面フィルムの熱融着層の一部のみを透明化して形成してあるものであって、かつ、前記透かしが、前記表面フィルムと前記裏面フィルムとの間に被覆物を挟んで熱ラミネートをすると同時に消失するものであることを特徴とするパウチフィルム。
【手続補正２】
【補正対象書類名】明細書
【補正対象項目名】０００６
【補正方法】変更
【補正の内容】
【０００６】
本発明の第１の態様は、基材と熱融着層の二重構造を有する表面フィルム及び裏面フィルムを有し、前記表面フィルムの基材が透明で前記表面フィルムの熱融着層が半透明であって、前記表面フィルムと前記裏面フィルムとを互いの熱融着層側を内側にして上下に重ね、一端を熱融着で結合して一体とし、前記表面フィルムと前記裏面フィルムとの間に被覆物を挟むために他端を開閉自在とし、前記表面フィルムに透かしを設けてあるものであって、前記透かしが、前記表面フィルムの熱融着層を前記表面フィルムの基材に押出ラミネートした後に透かしの形の金型を接触させて金型部分のみ加熱することによって、前記表面フィルムの熱融着層の一部のみを透明化して形成してあり、かつ、前記透かしが、前記表面フィルムと前記裏面フィルムとの間に被覆物を挟んで熱ラミネートをすると同時に消失するものであることを特徴とするパウチフィルムを提供する。本願において、透明には、無色透明の他、着色透明を含む。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】